(57)【要約】【課題】拡張コピー機能を実行する際に、自装置がプリント出力先となる拡張コピー設定を容易に選択可能に表示する画像形成装置及びその制御方法を提供する。【解決手段】本画像形成装置は、ＰＣ、ＭＦＰ等の複数の外部装置に接続され、外部装置と連携して実行する拡張コピー機能を実行することができる。本画像形成装置は、当該外部装置から拡張コピーの設定情報を取得し、取得した複数のコピー設定の中で、当該拡張コピーにおいて自装置がプリント出力先に設定されているコピー設定を一覧表示する。【選択図】図８
2011259395.tif 000002
【特許請求の範囲】
【請求項１】
複数の外部装置とネットワークを介して接続され、当該外部装置と連携してコピーを実行する拡張コピーを実行可能な画像形成装置であって、
前記複数の外部装置それぞれに設定されている前記拡張コピーの設定情報を取得する取得手段と、
前記取得手段によって取得した複数の前記設定情報を参照することによって、前記複数の外部装置それぞれに設定されている拡張コピーにおいて前記画像形成装置が印刷出力先として設定されているか否かを判定する判定手段と、
前記判定手段によって前記画像形成装置が印刷出力先として設定されていると判定された外部装置の前記拡張コピーの設定情報を表示部に一覧表示する表示制御手段と
を備えることを特徴とする画像形成装置。
【請求項２】
前記表示制御手段は、さらに、
前記表示部に表示した一覧表示画面において、前記判定手段によって前記画像形成装置が印刷出力先として設定されていないと判定された外部装置の前記拡張コピーの設定情報を、前記判定手段によって前記画像形成装置が印刷出力先として設定されていると判定された外部装置の前記拡張コピーの設定情報の表示より下位に表示することを特徴とする請求項１に記載の画像形成装置。
【請求項３】
前記表示制御手段は、さらに、
前記表示部に表示した一覧表示画面において、前記判定手段によって前記画像形成装置が印刷出力先として設定されていないと判定された外部装置の前記拡張コピーの設定情報を、前記画像形成装置が印刷出力先として設定されていないことを識別可能に表示することを特徴とする請求項１に記載の画像形成装置。
【請求項４】
前記外部装置から取得する設定情報には、前記拡張コピーにおける原稿を読み取るためのスキャン動作を実行する画像形成装置の指定情報と、該スキャン動作によって得られる画像データに従って印刷動作を実行する画像形成装置の指定情報とが含まれ、
前記判定手段は、前記印刷動作を実行する画像形成装置の指定情報が前記画像形成装置を示すか否かを判定することにより、前記拡張コピーにおいて前記画像形成装置が印刷出力先として設定されているか否かを判定することを特徴とする請求項１乃至３の何れか１項に記載の画像形成装置。
【請求項５】
原稿を読み取って画像データを出力する読取手段と、
前記読取手段によって読み取った画像データを前記拡張コピーの連携対象となる外部装置に送信する送信手段と、
前記外部装置から画像処理が実行された画像データを受信する受信手段と、
前記受信手段によって受信した画像データに従って記録材に画像を形成する画像形成手段と
をさらに備えることを特徴とする請求項１乃至４の何れか１項に記載の画像形成装置。
【請求項６】
複数の外部装置とネットワークを介して接続され、当該外部装置と連携してコピーを実行する拡張コピーを実行可能な画像形成装置の制御方法であって、
取得手段が、前記複数の外部装置それぞれに設定されている前記拡張コピーの設定情報を取得する取得ステップと、
判定手段が、前記取得ステップにおいて取得した複数の前記設定情報を参照することによって、前記複数の外部装置それぞれに設定されている拡張コピーにおいて前記画像形成装置が印刷出力先として設定されているか否かを判定する判定ステップと、
表示制御手段が、前記判定ステップにおいて前記画像形成装置が印刷出力先として設定されていると判定された外部装置の前記拡張コピーの設定情報を表示部に一覧表示する表示制御ステップと
を備えることを特徴とする画像形成装置の制御方法。
【請求項７】
請求項６に記載の画像形成装置の制御方法をコンピュータに実行させるためのプログラム。
【発明の詳細な説明】
【技術分野】
【０００１】
本発明は、画像形成装置、その制御方法及びプログラムに関するものである。
【背景技術】
【０００２】
近年、画像形成装置においては、コスト削減や小型化の要望に加えて、高機能であることが求められている。これらの要望に対する対策として、限定されたハードウェア資源の中で最大限の機能やパフォーマンスを提供するために、画像形成装置と外部装置とが連携して情報処理を行う技術が知られている。これは、画像形成装置と外部装置（サーバやＰＣなど）とが連携して情報処理・画像処理を行い、画像形成装置のハードウェア資源では提供できない拡張的な機能を実現する技術（例えば、拡張コピー機能）である。
【０００３】
例えば、特許文献１には、コピー機能を提供するために、画像形成装置とパーソナルコンピュータ（以下、ＰＣと称する。）等の外部装置とを接続し、画像形成装置で得た画像をＰＣにおいて画像処理する技術が提案されている。このように、特許文献１では、従来のコピー機能では画像形成装置において実行していた画像処理を、ＰＣにおいて実行することにより画像形成装置のハードウェア資源の利用を軽減している。また、特許文献１では、画像形成装置の操作（原稿読取開始や各種設定）もＰＣにおいて行っている。
【０００４】
ところで、画像形成装置においては、拡張コピー機能（擬似コピー機能）が提案されている。これは、画像形成装置のハードウェア資源では実現できない拡張的なコピー機能を、ＰＣなどの外部装置の資源を用いて処理するものである。また、当該機能の操作も画像形成装置の操作部で行うことができる。したがって、外部装置には、画像形成装置の原稿読取機能を制御するスキャンドライバプログラムと、印刷機能を制御するプリントドライバプログラムがインストールされている。画像形成装置は、ユーザのコピースタートの指示を受けると外部装置へその指示を通知し、外部装置は各ドライバプログラムに従って、原稿読取、各種画像処理、印刷を実行させる。原稿読取と印刷は画像形成装置において行うが、各種画像処理は外部装置のハードウェア資源とドライバプログラムによって実行される。このような拡張機能によって、画像形成装置に設けられたメモリの容量が少ない場合であっても、画像形成装置に代わって外部装置のメモリに画像データを蓄積させることで、多ページのレイアウト処理やソート処理が実現可能になる。更には、画像形成装置には必要最低限の画像処理部のみを設け、複雑高度な画像処理・色処理などは外部装置にインストールされた画像処理プログラムによって行うことで、画像形成装置のコストダウンも図りつつ、高性能化が可能になる。
【先行技術文献】
【特許文献】
【０００５】
【特許文献１】特開平０８−１８６６７７号公報
【発明の概要】
【発明が解決しようとする課題】
【０００６】
しかしながら、上記従来技術では、以下に記載する問題がある。上記拡張コピー機能において、ＰＣ側において、原稿をスキャンする画像形成装置とは異なる画像形成装置をプリント出力先に設定することが可能となっている。したがって、拡張コピーを開始した画像形成装置とは異なる画像形成装置にスキャンした画像が出力されることになり、ユーザが期待しない画像形成装置にプリント出力される可能性がある。
【０００７】
本発明は、上述の問題に鑑みて成されたものであり、拡張コピー機能を実行する際に、自装置がプリント出力先となる拡張コピー設定を容易に選択可能に表示する画像形成装置及びその制御方法を提供することを目的とする。
【課題を解決するための手段】
【０００８】
本発明は、例えば、複数の外部装置とネットワークを介して接続され、当該外部装置と連携してコピーを実行する拡張コピーを実行可能な画像形成装置として実現できる。画像形成装置は、複数の外部装置それぞれに設定されている拡張コピーの設定情報を取得する取得手段と、取得手段によって取得した複数の設定情報を参照することによって、複数の外部装置それぞれに設定されている拡張コピーにおいて画像形成装置が印刷出力先として設定されているか否かを判定する判定手段と、判定手段によって画像形成装置が印刷出力先として設定されていると判定された外部装置の拡張コピーの設定情報を表示部に一覧表示する表示制御手段とを備えることを特徴とする。
【発明の効果】
【０００９】
本発明は、拡張コピー機能を実行する際に、自装置がプリント出力先となる拡張コピー設定を容易に選択可能に表示する画像形成装置及びその制御方法を提供できる。
【図面の簡単な説明】
【００１０】
【図１】本実施形態に係る画像形成装置の構成例を示すブロック図である。
【図２】本実施形態に係る画像形成装置の操作パネルの一例を示す図である。
【図３】本実施形態に係るコピー設定を示す図である。
【図４】本実施形態に係る画像形成システムの構成例を示す図である。
【図５】本実施形態に係る複数の外部装置でのコピー設定を示す図である。
【図６】本実施形態に係るコピー設定情報を受信した場合の画像形成装置のフローチャートである。
【図７】本実施形態に係る画像形成装置が保持するコピー設定テーブルを示す図である。
【図８】本実施形態に係る画像形成装置の拡張コピー動作を示すフローチャートである。
【図９】本実施形態に係るコピー設定一覧の表示動作を示すフローチャートである。
【図１０】本実施形態に係るコピー設定一覧の表示動作の変形例を示すフローチャートである。
【図１１】本実施形態に係るコピー設定一覧の表示動作の変形例を示すフローチャートである。
【図１２】本実施形態に係るコピー設定一覧表示を示す図である。
【図１３】本実施形態に係るコピー設定を示す図である。
【発明を実施するための形態】
【００１１】
以下、本発明を実施するための形態について図面を用いて説明する。尚、以下の実施形態は特許請求の範囲に係る発明を限定するものでなく、また実施形態で説明されている特徴の組み合わせの全てが発明の解決手段に必須のものとは限らない。
【００１２】
＜画像形成装置の構成＞
まず、図１を参照して、本発明の一実施形態である画像形成装置の構成例について説明する。ここでは、画像形成装置の一例としてＭＦＰ１００を一例に説明する。図１に示すように、ＭＦＰ１００は、印刷部１０７、読取部１０９、操作パネル１１０、回線Ｉ／Ｆ１１２、及び、これらの制御を司るコントローラ部１０１を備える。
【００１３】
コントローラ部１０１は、ＣＰＵ１０２、ＲＡＭ１０３、ＲＯＭ１０４、印刷部Ｉ／Ｆ１０６、読取部Ｉ／Ｆ１０８、モデム１１１、ＵＳＢ Ｉ／Ｆ１１５、及びネットワークＩ／Ｆ１１８を備える。各ブロックはシステムバス１０５によって相互通信可能に接続されている。ＣＰＵ１０２は、各種制御プログラムに従って上記各ブロックを総括的に制御する。各種制御プログラムは、ＲＯＭ１０４のプログラム領域に記憶された制御プログラムを読み出すことによって実行される。例えば、各種制御プログラムは、ＲＯＭ１０４のプログラム領域に記憶された圧縮されたデータをＲＡＭ１０３へ伸張、展開して実行される。また、各種制御プログラムは、不図示のハードディスクドライブ（ＨＤＤ）に圧縮状態／非圧縮状態で格納されてもよい。
【００１４】
ネットワークＩ／Ｆ１１８は、ネットワーク（ＬＡＮ）１２０などを介してホストコンピュータ１１７（以下では、ＰＣと称する。）との通信処理を行う。なお、ＰＣ１１７は、図４以降で説明するＰＣ４０１〜４０３に対応する。また、本実施形態に係るＭＦＰ１００は、外部装置又は情報処理装置であるＰＣ１１７と連携して実行する連携ジョブを実行可能である。つまり、本実施形態におけるＭＦＰ１００は、ＰＣ１１７とネットワークを介して接続されることにより、画像形成システムを構成している。ネットワークＩ／Ｆ１１８とネットワーク網１２０とは、ＬＡＮケーブル１１９などの通信ケーブルで接続される。モデム１１１は、回線Ｉ／Ｆ１１２を介して公衆回線網１１４と接続し、不図示の他の画像形成装置やファクシミリ装置、電話機などと通信処理を行う。回線Ｉ／Ｆ１１２と公衆回線網１１４とは、一般的に電話線１１３などで接続される。
【００１５】
印刷部Ｉ／Ｆ１０６は、印刷部１０７（プリンタエンジン）に画像信号を出力するインターフェースである。印刷部１０７は、画像形成手段として機能し、画像データに従って記録材に画像を形成する。また、読取部Ｉ／Ｆ１０８は、読取部１０９（スキャナエンジン）からの読取画像信号を入力するインターフェースである。ＣＰＵ１０２は、読取部Ｉ／Ｆ１０８より入力された画像信号を処理し、記録画像信号として印刷部Ｉ／Ｆ１０６へ出力する。
【００１６】
ＣＰＵ１０２は、ＲＯＭ１０４のフォント領域に記憶されたフォント情報を用いて、操作パネル１１０の表示部に文字や記号を表示したり、ユーザの指示を受けた操作パネル１１０からの指示情報を受けたりする。また、ＲＯＭ１０４のデータ領域には、ＣＰＵ１０２によってＭＦＰ１００の装置情報や、ユーザの電話帳情報、部門管理情報などが記憶され、ＣＰＵ１０２により必要に応じて読み出され、必要に応じて更新される。
【００１７】
＜操作パネルの構成＞
次に、図２を参照して、本実施形態におけるＭＦＰ１００の操作パネル１１０について詳細に説明する。本実施形態に係るＭＦＰ１００は、前述の読取部１０９と印刷部１０７によるコピー機能や、読取部１０９とＵＳＢ Ｉ／Ｆ１１５によるスキャン機能などを有する。加えて、モデム１１１によるファクシミリ機能や、ＵＳＢ（Ｕｎｉｖｅｒｓａｌ Ｓｅａｒｉａｌ Ｂｕｓ）１１６やネットワーク網１２０を介してＰＣ１１７から指示を受けた印刷（プリント）を行う機能も有する。
【００１８】
操作パネル１１０について以下に説明する。操作パネル１１０には、上述した機能を選択するファンクションキー２０１〜２０４が設けられ、ユーザは使用したい機能のボタンを押下する。また、操作パネル１１０は、ユーザに設定状態やＭＦＰ１００の機器状態を通知するための表示部２０５を有する。矢印キー２０６は、表示部２０５に表示されたカーソルなどの移動に用いられる。図２に示すように、矢印キー２０６は、上下左右４つのボタンがある。矢印キー２０６の中央には、ＯＫキー２０７が配置され、設定や問い合わせに対する「決定キー」の機能を有する。例えば、コピーの設定（用紙サイズ）を変更したい場合、コピー機能ボタン２０１を押下してコピー機能画面に入り、矢印キー２０６で変更したい項目（用紙サイズ）を選び、ＯＫキー２０７を押下すると、選択可能な設定画面に遷移する。矢印キー２０６にて所望の設定の位置にカーソルを移動させ、ＯＫキー２０７を押下することで設定を決定することができる。コピー部数やファクシミリ機能における電話番号の入力などには、ユーザはテンキー２０８を用いる。
【００１９】
また、操作パネル１１０には、コピーやスキャンやファクシミリのスタートを指示するキーとして白黒スタートキー２０９及びカラースタートキー２１０が設けられる。本実施形態ではカラーコピー機能を想定してカラースタートキー２１０を図示した。一方、モノクロ読取機能、或いはモノクロ印刷機能しか有さない画像形成装置では、スタートキーは白黒スタートキー２０９のみでも構わない。更に、原稿を読み取ったときにカラー原稿かモノクロ原稿かを判定可能な機能を有する画像形成装置においても、図に示すスタートキーに限らない。
【００２０】
ストップキー２１１は、各機能の動作を停止させる指示を行うキーである。一方、動作を停止させる方法として、ユーザは、状態確認／中止キー２１２を使って現在ＭＦＰ１００で行っている処理の状態確認画面より、停止したい処理を選択して停止させることができる。その場合も、選択・決定には前述の矢印キー２０６とＯＫキー２０７とを用いる。
【００２１】
＜コピー設定＞
次に、図３を参照して、本実施形態におけるコピー設定について説明する。図３はＰＣ１１７の表示部に表示されるコピー設定画面３０１を示す。コピー設定画面３０１は、拡張コピーにおけるコピー設定を選択するための画面である。ここで、拡張コピーとは、例えば、ＭＦＰ１００がＰＣ１１７と連携して実行されるコピー処理を示す。具体的には、ＭＦＰ１００が原稿から読み取った画像データをＰＣ１１７に送信し、ＰＣ１１７において当該画像データに対して画像処理を施し、画像処理後の画像データに従ってＭＦＰ１００で印刷を実行する。このように、拡張コピーでは処理負荷の高い画像処理をＰＣ１１７等の外部装置で実行するため、ＭＦＰ１００における処理負荷を低減するとともに、ＭＦＰ１００に対して高機能の画像処理モジュールを実装する必要がないためコスト削減に繋がる。
【００２２】
図３に示すように、コピー設定画面３０１には、例えば、コピー１、コピー２、コピー３、コピー４の合計４種類の中から特定のコピー設定を選択することができる。コピー設定画面３０１においてコピー１を選択すると、３０２のようにコピー１に関する設定画面が表示される。
【００２３】
設定画面３０２のコピー１の設定においては、スキャナがＭＦＰ−Ａ、原稿入力部がＡＤＦ、原稿サイズがＡ４、スキャンモードがカラー、解像度が３００ｄｐｉ、プリンタがＭＦＰ−Ａと設定されている。設定画面３０２のスタートボタンを押下することにより、この設定での拡張コピーが開始される。
【００２４】
＜画像形成システム＞
次に、図４を参照して、画像形成装置を含む画像形成システム４００について説明する。画像形成システム４００は、外部装置としてＰＣ４０１、４０２、４０３（順に、ＰＣ−１、ＰＣ−２、ＰＣ−３に対応する。）と、画像形成装置としてＭＦＰ１００、ＭＦＰ４０５（順に、ＭＦＰ−Ａ、ＭＦＰ−Ｂに対応する。）とを備える。各装置は、ネットワーク４０６介して相互通信可能に接続されている。なお、上記画像形成システムの構成は本発明の一例であり、当該画像形成システムに含まれる装置の種類及び数を限定する意図はない。
【００２５】
＜コピー設定に関わる制御＞
次に、図５乃至図７を参照して、本実施形態における拡張コピー等のコピー設定に関わる制御について説明する。まず、図５を参照して、本実施形態における複数の外部装置での拡張コピー等のコピー設定について説明する。５０１はＰＣ４０１のコピー設定を示し、５０２はＰＣ４０２のコピー設定を示し、５０３はＰＣ４０３のピー設定を示している。各コピー設定５０１〜５０３には、コピー設定名（コピー１〜コピー４）毎に、それぞれ「スキャナ」、「プリンタ」の画像形成装置を指定する指定情報が設定さる。つまり、「スキャナ」には、拡張コピーにおいて原稿を読み取るためのスキャン動作を行う画像形成装置の指定情報が設定される。また、「プリンタ」には、拡張コピーにおいて上記スキャン動作によって得られる画像データに従って印刷動作を実行する画像形成装置の指定情報が設定される。
【００２６】
ＰＣ４０１のコピー設定５０１では、コピー１はスキャナがＭＦＰ−ＡでプリンタがＭＦＰ−Ａと設定されている。また、コピー２、コピー３、コピー４は未設定となっている。ＰＣ４０２のコピー設定５０２では、コピー１はスキャナがＭＦＰ−ＡでプリンタがＭＦＰ−Ｂに設定され、コピー２はスキャナがＭＦＰ−ＢでプリンタがＭＦＰ−Ｂに設定されている。また、コピー３、コピー４は未設定となっている。ＰＣ４０３のコピー設定５０３では、コピー１はスキャナがＭＦＰ−ＡでプリンタがＭＦＰ−Ａに設定され、コピー２はスキャナがＭＦＰ−ＡでプリンタがＭＦＰ−Ｂに設定されている。また、コピー３、コピー４は未設定となっている。
【００２７】
次に、図６を参照して、本実施形態におけるコピー設定情報を受信した場合の画像形成装置の処理フローについて説明する。以下で説明する処理は、ＭＦＰ１００の処理の一例であり、ＣＰＵ１０２がＲＯＭ１０４等からプログラムを読み出して実行することにより実現される。
【００２８】
Ｓ６０１において、ＣＰＵ１０２は、例えば、ＰＣ４０１からコピー設定情報（つまり、コピー設定５０１）を受信したと判定すると、Ｓ６０２に進む。Ｓ６０２において、ＣＰＵ１０２は、ＰＣ名、コピー設定名、プリンタ名を自装置が保持するテーブルに登録する。
【００２９】
図７は、ＭＦＰ１００が保持するコピー設定テーブルを示す。図７において、７０１は図４、図５の構成におけるＭＦＰ−Ａ（１００）のコピー設定テーブルであり、７０２は図４、図５の構成におけるＭＦＰ−Ｂ（４０５）のコピー設定テーブルである。
【００３０】
ＭＦＰ１００には、図５に示すＰＣ４０１、ＰＣ４０２、ＰＣ４０３のコピー設定５０１〜５０３の中から、スキャナがＭＦＰ−Ａ（１００）と指定されたコピー設定が通知され、Ｓ６０２において７０１のようにコピー設定テーブルに登録される。また、ＭＦＰ−Ｂ（４０５）には、図５におけるＰＣ４０１、ＰＣ４０２、ＰＣ４０３のコピー設定の中から、スキャナがＭＦＰ−Ｂと指定されたコピー設定が通知され、Ｓ６０２において７０２のようにコピー設定テーブルに登録される。
【００３１】
＜拡張コピー＞
次に、図８を参照して、本実施形態におけるＭＦＰ１００の拡張コピーの処理フローについて説明する。なお、以下で説明する処理は、ＣＰＵ１０２がＲＯＭ１０４等からプログラムを読み出して実行することにより実現される。
【００３２】
Ｓ８０１において、ＣＰＵ１０２は、表示制御手段として機能し、図６のフローによって登録されたコピー設定テーブルに基づき表示部２０５にコピー設定の一覧表示画面を表示する。当該一覧表示画面の表示方法については図９を用いて後述する。続いて、Ｓ８０２において、ＣＰＵ１０２は、ユーザ操作に基づきＳ８０１で表示した一覧表示から特定のコピー設定を選択する。その後、Ｓ８０３において、ＣＰＵ１０２は、スタートキー２０９又は２１０の押下が検知されるまで待機する。スタートキー２０９又は２１０の押下が検知されると、Ｓ８０４に進む。
【００３３】
Ｓ８０４において、ＣＰＵ１０２は、ＵＳＢ Ｉ／Ｆ１１５又はネットワークＩ／Ｆ１１８を介して、ＰＣ４０１にＳ８０２で選択したコピー設定を通知する。続いて、Ｓ８０５において、ＣＰＵ１０２は、ＵＳＢ Ｉ／Ｆ１１５又はネットワークＩ／Ｆ１１８を介して、ＰＣ４０１からスキャン指示を受信するまで待機する。スキャン指示を受信すると、Ｓ８０６に進む。
【００３４】
Ｓ８０６において、ＣＰＵ１０２は、読取部１０９によって原稿の読み取りを開始させる。続いて、Ｓ８０７において、ＣＰＵ１０２は、拡張コピーの連携対象となる外部装置（ここでは、ＰＣ４０１）に対して、Ｓ８０６で読み取られた画像データをＵＳＢ Ｉ／Ｆ１１５又はネットワークＩ／Ｆ１１８を介してＰＣ４０１に転送する。その後、Ｓ８０７において、ＣＰＵ１０２は、転送が終了したか否かを判定し、終了するとＳ８０８に進む。
【００３５】
次に、Ｓ８０８において、ＣＰＵ１０２は、ＵＳＢ Ｉ／Ｆ１１５又はネットワークＩ／Ｆ１１８を介して、ＰＣ４０１からプリントデータを受信するまで待機する。プリントデータを受信すると、Ｓ８０９に進み、ＣＰＵ１０２は、印刷部１０７によって受信したプリントデータをプリント出力して処理を終了する。このように、本実施形態における拡張コピーでは、画像形成装置で原稿からスキャンした画像データを、外部装置に送信し、外部装置において当該画像データに画像処理を施す。さらに、画像形成装置は、当該画像データを受信して、プリント出力する。
【００３６】
＜コピー設定一覧表示＞
次に、図９乃至図１３を参照して、上記Ｓ８０１のコピー設定一覧の表示処理について詳細に説明する。図９は、上記Ｓ８０１のコピー設定一覧の表示処理の詳細を示す。なお、以下で説明する処理は、ＣＰＵ１０２がＲＯＭ１０４等からプログラムを読み出して実行することにより実現される。
【００３７】
Ｓ９０１において、ＣＰＵ１０２は、コピー設定テーブル７０１から登録されたデータを１セット取得する。続いて、Ｓ９０２において、ＣＰＵ１０２は、Ｓ９０１でデータが取得できたか否か判定する。データが取得できていれば、Ｓ９０３に進み、ＣＰＵ１０２は、プリント出力先（印刷出力先）の指定が自装置であるか否かを判定する。プリント出力先が自装置であると判定するとＳ９０４に進み、プリンタ出力先が自装置でないと判定するとＳ９０６に進む。
【００３８】
Ｓ９０４において、ＣＰＵ１０２は、プリンタ出力先が自装置であると判定したコピー設定を一覧表示で表示するよう設定し、Ｓ９０５に進む。一方、Ｓ９０６において、ＣＰＵ１０２は、プリント出力先が自装置でないと判定したコピー設定を一覧表示で表示しないよう設定し、Ｓ９０５に進む。
【００３９】
Ｓ９０５において、ＣＰＵ１０２は、コピー設定テーブル７０１の参照先を次のデータ設定し、Ｓ９０１に戻る。その後、Ｓ９０２において、ＣＰＵ１０２は、Ｓ９０１でデータが取得できていないと判定すると、Ｓ９０７に進み、Ｓ９０４、Ｓ９０６で設定した表示・非表示設定に基づき、コピー設定を操作パネル１１０の表示部２０５に一覧表示する。
【００４０】
ここで、図１２を参照して、図９のフローチャートにおける表示例について説明する。１２０１は、コピー設定テーブル７０１を図９のフローチャートに基づき、一覧表示した際の表示部２０５の表示例である。コピー設定テーブル７０１の中で、プリンタがＭＦＰ−Ａに設定されたコピー設定「ＰＣ−１  コピー１」、「ＰＣ３  コピー１」のみを表示している。
【００４１】
次に、図１０を参照して、コピー設定の一覧表示における変形例について説明する。なお、以下で説明する処理は、ＣＰＵ１０２がＲＯＭ１０４等からプログラムを読み出して実行することにより実現される。また、図９と同様の処理は処理を省略する。即ち、Ｓ１００１乃至Ｓ１００３、Ｓ１００５は、Ｓ９０１乃至Ｓ９０３、Ｓ９０５と同様であるため、説明を省略する。
【００４２】
Ｓ１００４において、ＣＰＵ１０２は、プリンタ出力先が自装置であると判定したコピー設定を一覧表示で優先表示するよう設定する。一方、Ｓ１００６において、ＣＰＵ１０２は、プリント出力先が自装置でないと判定したコピー設定を一覧表示で通常表示するよう設定する。その後、Ｓ１００７において、ＣＰＵ１０２は、Ｓ１００４で優先表示設定されたコピー設定を、Ｓ１００５で通常表示設定されたコピー設定より上位に位置するように表示部２０５に一覧表示する。つまり、ここでは、一覧表示画面において、プリント出力先が自装置であると判定したコピー設定の下位に、プリント出力先が自装置でないと判定したコピー設定を表示する。
【００４３】
図１２の１２０２は、コピー設定テーブル７０１を図１０のフローチャートに基づき、一覧表示した際の表示部２０５の表示例である。コピー設定テーブル７０１の中で、プリンタがＭＦＰ−Ａに設定されたコピー設定「ＰＣ−１  コピー１」、「ＰＣ―３  コピー１」を、プリンタがＭＦＰ−Ｂに設定されたコピー設定「ＰＣ−２  コピー１」、「ＰＣ−３  コピー２」より上位に表示している。
【００４４】
さらに、図１１を参照して、コピー設定の一覧表示における変形例について説明する。なお、以下で説明する処理は、ＣＰＵ１０２がＲＯＭ１０４等からプログラムを読み出して実行することにより実現される。また、図９と同様の処理は処理を省略する。即ち、Ｓ１１０１乃至Ｓ１１０３、Ｓ１１０５は、Ｓ９０１乃至Ｓ９０３、Ｓ９０５と同様であるため、説明を省略する。
【００４５】
Ｓ１１０４において、ＣＰＵ１０２は、プリント出力先が自装置であると判定したコピー設定を一覧表示で通常表示するよう設定する。一方、Ｓ１１０６において、ＣＰＵ１０２は、プリント出力先が自装置でないと判定したコピー設定を一覧表示でリモート表示するよう設定する。リモート表示については図１２用いて後述する。その後、Ｓ１１０７において、ＣＰＵ１０２は、Ｓ１１０４で通常表示設定されたコピー設定を通常表示するとともに、Ｓ１１０６でリモート表示設定されたコピー設定についてプリント先がリモートである旨表示する。つまり、ここでは、一覧表示画面において、プリント出力先が自装置であると判定したコピー設定を通常表示するとともに、プリント出力先が自装置でないと判定したコピー設定を、その旨が識別可能なように表示する。
【００４６】
図１２の１２０３は、コピー設定テーブル７０１を図１１のフローチャートに基づき、一覧表示した際の表示部２０５の表示例である。コピー設定テーブル７０１の中で、プリンタがＭＦＰ−Ｂに設定されたコピー設定は「ＰＣ−２  コピー１（リモート）」、「ＰＣ−３  コピー２（リモート）」と表示している。
【００４７】
図１３は本発明におけるコピー設定を示す図であり、ＰＣ４０２においてコピー設定「コピー２」が選択された時の表示画面を示している。図９のフローによると、ＭＦＰ−Ａ（１００）からは、ＰＣ４０２のコピー設定「コピー２」は、選択できないことになる。しかし、ＰＣ４０２からは、１３０２においてスタートボタンが押下されると、スキャナをＭＦＰ−Ａ（１００）と設定し、プリンタをＭＦＰ−Ｂ（４０５）と設定したコピー設定で拡張コピーを実行することが可能となる。つまり、上記スタートボタンを押下することにより、ＰＣ４０２からは強制的に、「コピー２」の設定で拡張コピーを実行することができる。
【００４８】
以上説明したように、本実施形態に係る画像形成装置は、ＰＣ、ＭＦＰ等の複数の外部装置に接続され、外部装置と連携して実行する拡張コピー機能を実行することができる。本画像形成装置は、当該外部装置から拡張コピーの設定情報を取得し、取得した複数のコピー設定の中で、当該拡張コピーにおいて自装置がプリント出力先に設定されているコピー設定のみを一覧表示する。これにより、本画像形成装置では、ユーザにとって拡張コピーを開始しようとする画像形成装置がプリント出力先となるコピー設定を容易に選択することができる。
【００４９】
なお、本発明は上記実施形態に限らず様々な変形が可能である。例えば、本画像形成装置は、一覧表示画面において、自装置がプリント出力先であるコピー設定情報の表示の下位に、自装置がプリント出力先でないコピー設定情報を表示してもよい。また、本画像形成装置は、自装置がプリント出力先であるコピー設定情報の表示に加えて、自装置がプリント出力先でないコピー設定情報をその旨が識別可能に表示してもよい。
【００５０】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2011259395.tif 000003
【図２】
2011259395.tif 000004
【図３】
2011259395.tif 000005
【図４】
2011259395.tif 000006
【図５】
2011259395.tif 000007
【図６】
2011259395.tif 000008
【図７】
2011259395.tif 000009
【図８】
2011259395.tif 000010
【図９】
2011259395.tif 000011
【図１０】
2011259395.tif 000012
【図１１】
2011259395.tif 000013
【図１２】
2011259395.tif 000014
【図１３】
2011259395.tif 000015